(57)【要約】      （修正有）【課題】１台の装置に備わっている散乱Ｘ線除去グリッドで適合可能な焦点・受像面間距離範囲を容易に拡げられるようにする。【解決手段】  適合可能な焦点・受像面間距離範囲が異なる２個の散乱Ｘ線除去グリッド１２Ａ，１２Ｂのうちで、焦点・受像面間距離ＳＩＤの現在設定値に見合う散乱Ｘ線除去グリッドを選んで２次元Ｘ線検出器２の前面の配置位置２ａへセットできると共に、焦点・受像面間距離ＳＩＤの現在設定値に見合わない散乱Ｘ線除去グリッドは２次元Ｘ線検出器２の側方の退避位置２ｂへ後退させられる。よって、１台の装置の散乱Ｘ線除去グリッドで適合できる焦点・受像面間距離範囲は２個の散乱Ｘ線除去グリッド１２Ａ，１２Ｂの各焦点・受像面間距離範囲を全て合わせた広い範囲となるうえに、散乱Ｘ線除去グリッド１２Ａ，１２Ｂを２次元Ｘ線検出器２の前面の配置位置と側方の退避位置の間で往復移動可能とする実現容易な構成ばかりで済む。【選択図】    図５
2006255281.tif 000002
【特許請求の範囲】
【請求項１】
被検体にＸ線を照射するＸ線照射手段の焦点と、被検体を挟んでＸ線照射手段と向かい合って配設されている透過Ｘ線像検出用の２次元Ｘ線検出手段の受像面との距離（焦点・受像面間距離）を変えることができるのに加え、２次元Ｘ線検出手段の前面に配置される散乱Ｘ線除去グリッドを備えているＸ線撮影装置において、適合可能な焦点・受像面間距離範囲が異なる複数の散乱Ｘ線除去グリッドが、それぞれ、２次元Ｘ線検出手段の前面の配置位置と２次元Ｘ線検出手段の側方の退避位置との間を往復移動させられる状態で配設されていることを特徴とするＸ線撮影装置。
【請求項２】
請求項１に記載のＸ線撮影装置において、適合可能な焦点・受像面間距離範囲が異なる複数の散乱Ｘ線除去グリッドのうちの任意の１個の散乱Ｘ線除去グリッドを指定するグリッド指定手段と、グリッド指定手段により指定された散乱Ｘ線除去グリッドを２次元Ｘ線検出手段の前面の配置位置へ進出させると共に２次元Ｘ線検出手段の前面の配置位置にセットされていた散乱Ｘ線除去グリッドを退避位置へ後退させる指定グリッド交替手段を備えているＸ線撮影装置。
【請求項３】
請求項１に記載のＸ線撮影装置において、Ｘ線照射手段と２次元Ｘ線検出手段についての焦点・受像面間距離（ＳＩＤ）を検出するＳＩＤ検出手段と、適合可能な焦点・受像面間距離範囲が異なる複数の散乱Ｘ線除去グリッドのうちからＳＩＤ検出手段により検出された焦点・受像面間距離に見合う散乱Ｘ線除去グリッドを選定するグリッド選定手段と、グリッド選定手段により選定された散乱Ｘ線除去グリッドを２次元Ｘ線検出手段の前面の配置位置へ進出させると共に２次元Ｘ線検出手段の前面の配置位置にセットされていた散乱Ｘ線除去グリッドを退避位置へ後退させる選定グリッド交替手段とを備えているＸ線撮影装置。
【発明の詳細な説明】
【技術分野】
【０００１】
この発明は、被検体にＸ線を照射するＸ線照射手段の焦点と、被検体を挟んでＸ線照射手段と向かい合って配設されている透過Ｘ線像検出用の２次元Ｘ線検出手段の受像面との距離（焦点・受像面間距離）を変えることができるのに加え、２次元Ｘ線検出手段の前面に配置される散乱Ｘ線除去グリッドを備えたＸ線撮影装置に係り、特に２次元Ｘ線検出手段の前面の配置位置にセットされる散乱Ｘ線除去グリッドが適合できる焦点・受像面間距離範囲を拡げるための技術に関する。
【背景技術】
【０００２】
従来、病院等の医療機関でよく使われているＸ線透視撮影装置は、図９に示すように、天板ＢＤに載せられた被検体ＭにＸ線を照射するＸ線管６１と、被検体Ｍを挟んでＸ線管６１と向かい合っている透過Ｘ線像検出用の２次元Ｘ線検出器６２を備えている他、２次元Ｘ線検出器６２の前面に配置される散乱Ｘ線除去グリッド６３などを備えている。従来のＸ線透視撮影装置でＸ線撮影が行なわれる時は、Ｘ線管６１によるＸ線照射に伴って生じる被検体Ｍの透過Ｘ線像が２次元Ｘ線検出器６２の受像面（Ｘ線検出面）に投影されて検出されると共に、２次元Ｘ線検出器６２から出力されるＸ線検出信号に基づいてＸ線透視用のＸ線画像が取得される。
【０００３】
散乱Ｘ線除去グリッド６３は、多数のＸ線吸収部材とＸ線透過性の中間物質が交互に配設されたグリッドであり、この散乱Ｘ線除去グリッド６３によってＸ線画像の画質低下等の原因となる散乱Ｘ線が除けるので、散乱Ｘ線が除外された透過Ｘ線像を２次元Ｘ線検出器６２の受像面に投影できる。
【０００４】
一方、図９のＸ線透視撮影装置は、Ｘ線管６１と２次元Ｘ線検出器６２の一方（または両方）を移動させることによりＸ線管６１の焦点と２次元Ｘ線検出器６２の受像面の距離（焦点・受像面間距離）を変えることができる構成とされている。この焦点・受像面間距離（ＳＩＤ）を変えることで撮影範囲や撮影倍率を調整することができる。
他方、散乱Ｘ線除去グリッド６３は、適合できる焦点・受像面間距離に制限があり、焦点・受像面間距離が散乱Ｘ線除去グリッド６３の適合可能な範囲を外れると、非散乱Ｘ線が除かれてしまうカットオフ現象を招き、Ｘ線撮影は無理となる。
【０００５】
したがって、普通、適合可能な焦点・受像面間距離範囲が違う散乱Ｘ線除去グリッドを配備した別置きのＸ線撮影スタンドを検査室内に余分に設置しておいて、焦点・受像面間距離が散乱Ｘ線除去グリッド６３の適合可能な範囲を外れた時は、被検体を別置きのＸ線撮影スタンドの方に載せ換えると共に、Ｘ線管６１を別置きのＸ線撮影スタンドの方に向け直し、Ｘ線撮影を行なっている。しかし、別置きのＸ線撮影スタンドを用いる場合は、検査室内にかなりの設置スペースを要するのに加えて、被検体の載せ換えやＸ線管６１の向きの変更操作により被検体やオペレータの負担が増す。
【０００６】
そこで、従来のＸ線透視撮影装置において、散乱Ｘ線除去グリッド６３を焦点・受像面間距離に応じて、そのグリッドの延在方向を長手軸とした所定の曲率の円筒形状に変形させることによって、１台の装置に備わっている散乱Ｘ線除去グリッド６３で適合できる焦点・受像面間距離の範囲を拡げる対策案が提言されている（例えば特許文献１を参照。）。
【０００７】
【特許文献１】特開２００４−３１３５４６号公報（第４頁〜第５頁，図４〜図５）
【発明の開示】
【発明が解決しようとする課題】
【０００８】
しかしながら、上記の対策案に係るＸ線透視撮影装置の場合、散乱Ｘ線除去グリッド６３を焦点・受像面間距離に合わせて円筒形状に変形させる機構を製作することが容易でなく、散乱Ｘ線除去グリッド６３が適合可能な焦点・受像面間距離の範囲を拡げるのが実際は極めて難事だという問題がある。
【０００９】
この発明は、このような事情に鑑みてなされたものであって、１台の装置に備わっている散乱Ｘ線除去グリッドで適合可能な焦点・受像面間距離範囲を容易に拡げることができるＸ線撮影装置を提供することを目的とする。
【課題を解決するための手段】
【００１０】
この発明は、このような目的を達成するために、次のような構成をとる。
すなわち、請求項１に記載の発明に係るＸ線撮影装置は、被検体にＸ線を照射するＸ線照射手段の焦点と、被検体を挟んでＸ線照射手段と向かい合って配設されている透過Ｘ線像検出用の２次元Ｘ線検出手段の受像面との距離（焦点・受像面間距離）を変えることができるのに加え、２次元Ｘ線検出手段の前面に配置される散乱Ｘ線除去グリッドを備えているＸ線撮影装置において、適合可能な焦点・受像面間距離範囲が異なる複数の散乱Ｘ線除去グリッドが、それぞれ、２次元Ｘ線検出手段の前面の配置位置と２次元Ｘ線検出手段の側方の退避位置との間を往復移動させられる状態で配設されていることを特徴とするものである。
【００１１】
［作用・効果］請求項１の発明のＸ線撮影置によりＸ線撮影を実行する場合、先ずオペレータは、Ｘ線照射手段の焦点と透過Ｘ線像検出用の２次元Ｘ線検出手段の受像面との距離（焦点・受像面間距離）を撮影目的に合わせて設定すると共に、２次元Ｘ線検出手段の前面の配置位置に現在セットされている散乱Ｘ線除去グリッドが焦点・受像面間距離の現在設定値に適合するか否かをチェックする。
そして、現在セット中の散乱Ｘ線除去グリッドが焦点・受像面間距離の現在設定値に適合していない時は、適合可能な焦点・受像面間距離範囲が異なる複数の散乱Ｘ線除去グリッドの中から、焦点・受像面間距離の現在設定値に適合する散乱Ｘ線除去グリッドを選んで２次元Ｘ線検出手段の前面の配置位置へ進出させてセットすると共に、焦点・受像面間距離の現在設定値に適合しない散乱Ｘ線除去グリッドは２次元Ｘ線検出手段の側方の退避位置へ後退させる。
続いて、Ｘ線照射手段により被検体にＸ線が照射されると共に、Ｘ線照射に伴って生じる被検体の透過Ｘ線像が２次元Ｘ線検出手段の受像面（Ｘ線検出面）に投影されて検出されることでＸ線撮影が進行してゆく。
【００１２】
すなわち、請求項１の発明のＸ線撮影装置は、適合可能な焦点・受像面間距離範囲が異なる複数の散乱Ｘ線除去グリッドのうちで、焦点・受像面間距離の現在設定値に見合う散乱Ｘ線除去グリッドを選んで２次元Ｘ線検出手段の前面の配置位置へ進出させてセットできると共に、焦点・受像面間距離の現在設定値に適合しない散乱Ｘ線除去グリッドは２次元Ｘ線検出手段の側方の退避位置へ後退させられる構成とされている。
【００１３】
その結果、請求項１の発明のＸ線撮影装置の場合、１台の装置に備わっている散乱Ｘ線除去グリッドが適合できる焦点・受像面間距離範囲は、適合可能な焦点・受像面間距離範囲の違う複数の散乱Ｘ線除去グリッドの各焦点・受像面間距離範囲を全て合わせた広い範囲となるのに加えて、これに必要な技術的事項は、適合可能な焦点・受像面間距離範囲が異なる複数の散乱Ｘ線除去グリッドのそれぞれを２次元Ｘ線検出手段の前面の配置位置と側方の退避位置の間で往復移動可能にする程度の実現容易な構成ばかりであるので、請求項１の発明のＸ線撮影装置によると、１台の装置に備わっている散乱Ｘ線除去グリッドで適合可能な焦点・受像面間距離範囲を容易に拡げられる。
【００１４】
また、請求項２に記載の発明は、請求項１に記載のＸ線撮影装置において、適合可能な焦点・受像面間距離範囲が異なる複数の散乱Ｘ線除去グリッドのうちの任意の１個の散乱Ｘ線除去グリッドを指定するグリッド指定手段と、グリッド指定手段により指定された散乱Ｘ線除去グリッドを２次元Ｘ線検出手段の前面の配置位置へ進出させると共に２次元Ｘ線検出手段の前面の配置位置にセットされていた散乱Ｘ線除去グリッドを退避位置へ後退させる指定グリッド交替手段を備えているものである。
【００１５】
［作用・効果］請求項２の発明の装置の場合、グリッド指定手段により適合可能な焦点・受像面間距離範囲が異なる複数の散乱Ｘ線除去グリッドの中から焦点・受像面間距離の現在設定値に見合った１個の散乱Ｘ線除去グリッドを指定すると、指定グリッド交替手段が作動して、グリッド指定手段により指定された散乱Ｘ線除去グリッドが２次元Ｘ線検出手段の前面の配置位置へ進出させられると共に２次元Ｘ線検出手段の前面の配置位置にセットされていた散乱Ｘ線除去グリッドが退避位置へ後退させられる。
したがって、請求項２の発明の装置によれば、適合可能な焦点・受像面間距離範囲が異なる複数の散乱Ｘ線除去グリッドのどのグリッドについても、グリッド指定手段による指定操作だけで、２次元Ｘ線検出手段の前面の配置位置へセットすることができる。
【００１６】
また、請求項３に記載の発明は、請求項１に記載のＸ線撮影装置において、Ｘ線照射手段と２次元Ｘ線検出手段についての焦点・受像面間距離（ＳＩＤ）を検出するＳＩＤ検出手段と、適合可能な焦点・受像面間距離範囲が異なる複数の散乱Ｘ線除去グリッドのうちからＳＩＤ検出手段により検出された焦点・受像面間距離に見合う散乱Ｘ線除去グリッドを選定するグリッド選定手段と、グリッド選定手段により選定された散乱Ｘ線除去グリッドを２次元Ｘ線検出手段の前面の配置位置へ進出させると共に２次元Ｘ線検出手段の前面の配置位置にセットされていた散乱Ｘ線除去グリッドを退避位置へ後退させる選定グリッド交替手段とを備えているものである。
【００１７】
［作用・効果］請求項３の発明の装置の場合、ＳＩＤ検出手段によりＳＩＤ（Source-Image-Distance ）が検出されると共に、グリッド選定手段により適合可能な焦点・受像面間距離範囲が異なる複数の散乱Ｘ線除去グリッドのうちからＳＩＤ検出手段により検出されたＳＩＤに見合う散乱Ｘ線除去グリッドが選定されると、選定グリッド交替手段が作動して、グリッド選定手段により選定された散乱Ｘ線除去グリッドが２次元Ｘ線検出手段の前面の配置位置へ進出させられると共に２次元Ｘ線検出手段の前面の配置位置にセットされていた散乱Ｘ線除去グリッドが退避位置へ後退させられる。
したがって、請求項３の発明の装置によれば、オペレータが操作を行なわなくても、２次元Ｘ線検出手段の前面の配置位置には、Ｘ線照射手段と２次元Ｘ線検出手段についての焦点・受像面間距離の現在設定値に見合った散乱Ｘ線除去グリッドが自動的にセットされる。
【発明の効果】
【００１８】
請求項１の発明のＸ線撮影装置は、適合可能な焦点・受像面間距離範囲が異なる複数の散乱Ｘ線除去グリッドのうちで、焦点・受像面間距離の現在設定値に適合する散乱Ｘ線除去グリッドを選んで２次元Ｘ線検出手段の前面の配置位置へ進出させてセットできると共に、焦点・受像面間距離の現在設定値に適合しない散乱Ｘ線除去グリッドは２次元Ｘ線検出手段の側方の退避位置へ後退させられる構成とされている。
【００１９】
したがって、請求項１の発明のＸ線撮影装置の場合、１台の装置に備わっている散乱Ｘ線除去グリッドで適合可能な焦点・受像面間距離範囲は、適合可能な焦点・受像面間距離範囲の違う複数の散乱Ｘ線除去グリッドの各焦点・受像面間距離範囲を全て合わせた広い範囲となるのに加えて、これに必要な技術的事項は、適合可能な焦点・受像面間距離範囲が異なる複数の散乱Ｘ線除去グリッドのそれぞれを２次元Ｘ線検出手段の前面の配置位置と側方の退避位置の間で往復移動可能にする程度の実現容易な構成ばかりである。
よって、請求項１の発明のＸ線撮影装置によれば、１台の装置に備わっている散乱Ｘ線除去グリッドで適合可能な焦点・受像面間距離範囲を容易に拡げることができる。
【実施例１】
【００２０】
この発明のＸ線撮影装置の実施例１を図面を参照して説明する。図１は実施例１に係る医用のＸ線透視撮影装置の全体構成を示すブロック図、図２は実施例１の装置における散乱Ｘ線除去グリッドまわりの構成を示す平面図、図３は実施例１の装置における散乱Ｘ線除去グリッドの配置状況を示す側面図、図４は実施例１の装置に使われている散乱Ｘ線除去グリッドの構造例を示す模式図である。
【００２１】
実施例１のＸ線透視撮影装置は、透視撮影対象の被検体Ｍを載置する天板ＢＤと、天板１の上の被検体ＭにＸ線を照射するＸ線管１と、透過Ｘ線像検出用の２次元Ｘ線検出器２と、Ｘ線照射制御部３の制御によりＸ線管１から被検体ＭにＸ線が照射されるのに伴って２次元Ｘ線検出器２から出力されるＸ線検出信号にしたがってＸ線透視用などのＸ線画像を取得する検出信号処理部４と、検出信号処理部４により取得されたＸ線画像やＸ線透視撮影に必要な操作メニューを画面に映し出す表示モニタ５と、装置の稼働に必要な指令やデータの入力をおこなうキーボードやマウス等の操作部６を備えている。以下、各部の構成を具体的に説明する。
【００２２】
天板ＢＤは、長手方向と短手方向に移動可能な状態で天板保持枠７に保持されており、天板保持枠７が、矢印ＲＡに示すように、起倒動可能に装置基台８に支持されていて、天板保持枠７が起倒動するのに伴って天板ＢＤも被検体Ｍを載せたままで起倒動する構成とされている。
【００２３】
また、実施例１の装置は、Ｘ線管１の焦点１Ａと、被検体Ｍを挟んでＸ線管１と向かい合って配設されている２次元Ｘ線検出器２の受像面２Ａとの距離（焦点・受像面間距離）ＳＩＤを変えることができる構成とされている。焦点・受像面間距離ＳＩＤを変えることで撮影範囲や撮影倍率を調整することができる。
即ち、Ｘ線管１は、図５や図６にも示すように、支柱９の長手方向に沿って往復移動可能な状態で支柱９に係合している可動ベース１０に取り付けられていて、可動ベース１０が支柱９の長手方向に沿って移動するのに連れてＸ線管１も２次元Ｘ線検出器２に近づいたり、２次元Ｘ線検出器２から離れたりして、焦点・受像面間距離ＳＩＤが変化するのである。実施例１の装置の場合、可動ベース１０の移動は手動で行なわれるが、可動ベース１０の移動は電動で行なわれる構成であってもよい。
【００２４】
具体的には、可動ベース１０が支柱９の先端側へ移動してＸ線管１が２次元Ｘ線検出器２から離れると焦点・受像面間距離ＳＩＤが長くなる。逆に可動ベース１０が支柱９の基端側へ移動してＸ線管１が２次元Ｘ線検出器２に近づくと焦点・受像面間距離ＳＩＤが短くなる。
なお、実施例１の装置では、Ｘ線管１の方が移動して焦点・受像面間距離ＳＩＤが変化する構成であるが、２次元Ｘ線検出器２の方が移動して焦点・受像面間距離ＳＩＤが変化する構成、あるいは、Ｘ線管１と２次元Ｘ線検出器２の両方が移動して焦点・受像面間距離ＳＩＤが変化する構成であってもよい。
【００２５】
加えて、実施例１の装置の場合、焦点・受像面間距離ＳＩＤの現在設定値がＸ線管１の傍らに設置されている機械式ないし電気式のＳＩＤ計測表示計１１で数字表示される。ＳＩＤ計測表示計１１は可動ベース１０の移動量と向きを捕捉して焦点・受像面間距離ＳＩＤの表示値を増減させることにより焦点・受像面間距離ＳＩＤの現在設定値を計測表示する構成とされている。
【００２６】
なお、焦点・受像面間距離ＳＩＤの現在設定値を数字表示するＳＩＤ計測表示計１１を設けずに、支柱９の長手方向に沿ってＳＩＤ計測用の目盛りだけが刻みつけられていて、オペレータが目視でＸ線管１の位置をＳＩＤ計測用の目盛りを使って読み取ることで、焦点・受像面間距離ＳＩＤの現在設定値を知る構成であってもよい。
また、ＳＩＤ計測表示計１１で測定された焦点・受像面間距離ＳＩＤの現在設定値が電気信号のかたちで表示モニタ５の側へ送られて表示モニタ５の画面に焦点・受像面間距離ＳＩＤの現在設定値を示す数字が映し出される構成としてもよい。
【００２７】
実施例１の装置の２次元Ｘ線検出器２は、イメージインテンシファイア（Ｉ・Ｉ管）とＴＶカメラを組み合わせたＩ・Ｉ管タイプであるが、２次元Ｘ線検出器２はフラットパネル型検出器（ＦＰＤ）であってもよい。
Ｘ線照射制御部３は設定された撮影条件に応じた管電流・管電圧でＸ線管１がＸ線を照射するように制御を行なうと共に、Ｘ線照射に伴って生じる被検体Ｍの透過Ｘ線像が２次元Ｘ線検出器２の受像面２Ａに投影されて検出されてＸ線検出信号として２次元Ｘ線検出器２から出力される。
【００２８】
さらに、実施例１のＸ線透視撮影装置は、図２や図３にも示すように、適合可能な焦点・受像面間距離範囲が異なる複数の散乱Ｘ線除去グリッド１２Ａ、１２Ｂが、それぞれ、２次元Ｘ線検出器２の前面の配置位置２ａと２次元Ｘ線検出器２の側方の退避位置２ｂとの間を往復移動させられる状態で配設されている点を構成上の特徴としているので、以下、この点を具体的に詳しく説明する。
散乱Ｘ線除去グリッド１２Ａ、１２ＢはＸ線画像の画質低下等の原因となる散乱Ｘ線を除く為のものであり、散乱Ｘ線除去グリッド１２Ａや散乱Ｘ線除去グリッド１２Ｂを２次元Ｘ線検出器２の前面の配置位置２ａにセットすることにより、散乱Ｘ線が除外された透過Ｘ線像を２次元Ｘ線検出器２の受像面に投影させることができる。
【００２９】
２次元Ｘ線検出器２の前面の配置される散乱Ｘ線除去グリッドの場合、平行グリッドタイプと集束グリッドタイプがある。散乱Ｘ線除去グリッド１２Ａ、１２Ｂは平行グリッドタイプと集束グリッドタイプのいずれでもよい。
平行グリッドタイプの場合、Ｘ線透過性の中間物質（例えばアルミニウム）と交互に並ぶＸ線吸収材（例えば鉛）が平行に配設されている。集束グリッドタイプの場合、図４に示すように、Ｘ線透過性の中間物質とＸ線吸収材がＸ線管１の焦点を向くように真ん中から外側に向かうにしたがって傾斜の度合いを強めてゆく状態で配設されている。
散乱Ｘ線除去グリッド１２Ａ、１２Ｂは、例えば、縦・横が各々５０ｃｍ程度、厚み３ｍｍ程度のものである。
【００３０】
散乱Ｘ線除去グリッド１２Ａ、１２Ｂは、それぞれ、最適の焦点・受像面間距離ＳＩＤを中心として一定範囲の距離に適合できるだけである。実施例１の装置の場合、散乱Ｘ線除去グリッド１２Ａは近距離撮影用であり、適合可能な焦点・受像面間距離範囲を５０ｃｍ〜１ｍ未満とし、散乱Ｘ線除去グリッド１２Ｂは遠距離撮影用であり、適合可能な焦点・受像面間距離範囲を１ｍ以上〜１ｍ７０ｃｍとする。
【００３１】
そして、実施例１の装置の場合、適合可能な焦点・受像面間距離範囲が異なる２個の散乱Ｘ線除去グリッド１２Ａ、１２Ｂのうちの任意の一方の散乱Ｘ線除去グリッドを指定するグリッド指定部１３と、グリッド指定部１３により指定された散乱Ｘ線除去グリッドを２次元Ｘ線検出器２の前面の配置位置へ進出させると共に２次元Ｘ線検出器２の前面の配置位置にセットされていた散乱Ｘ線除去グリッドを退避位置へ後退させる指定グリッド交替機構１４を備えている。
【００３２】
具体的には、操作部６により散乱Ｘ線除去グリッド１２Ａ、１２Ｂのうちの任意の一方のグリッドを指定する操作をオペレータが行なうと、グリッド指定部１３が指定された方の散乱Ｘ線除去グリッドに応じたグリッド指定信号を出力する構成とされている。即ち、実施例１の装置では、操作部６とグリッド指定部１３が散乱Ｘ線除去グリッド１２Ａ、１２Ｂのうちの任意の一方の散乱Ｘ線除去グリッドを指定するグリッド指定手段を構成している。
【００３３】
また、指定グリッド交替機構１４は、図２および図３に示すように、散乱Ｘ線除去グリッド１２Ａ、１２Ｂを２次元Ｘ線検出器２の前面の配置位置２ａと側方の退避位置２ｂの間を往復移動可能に２段重ねで保持するグリッド保持棚１４Ａと、散乱Ｘ線除去グリッド１２Ａ、１２Ｂが結合されていると共に２次元Ｘ線検出器２の前面の配置位置２ａの外寄り縁と側方の退避位置２ｂの外寄り縁に設置されたプーリ１４ａ，１４ｂに掛け渡されたエンドレスベルト１４Ｂと、プーリ１４ａを回転させる電気モータ１４Ｃからなる。
【００３４】
指定グリッド交替機構１４の場合、電気モータ１４Ｃがエンドレスベルト１４Ｂを矢印Ｒａで示す向きに回すと、散乱Ｘ線除去グリッド１２Ａは２次元Ｘ線検出器２の側方の退避位置２ｂから前面の配置位置２ａへ進出する方向に移動し、散乱Ｘ線除去グリッド１２Ｂは２次元Ｘ線検出器２の前面の配置位置２ａから側方の退避位置２ｂへ後退する向きに移動する。逆に、電気モータ１４Ｃがエンドレスベルト１４Ｂを矢印Ｒｂで示す向きに回すと、散乱Ｘ線除去グリッド１２Ｂは２次元Ｘ線検出器２の側方の退避位置２ｂから前面の配置位置２ａへ進出する方向に移動し、散乱Ｘ線除去グリッド１２Ａは２次元Ｘ線検出器２の前面の配置位置２ａから側方の退避位置２ｂへ後退する向きに移動する構成とされている。
【００３５】
なお、主制御部１５は、マイクロコンピュータおよびその動作プログラムを中心に構成されていて、操作部６による指令・データ入力操作やグリッド指定操作、あるいは、Ｘ線撮影の進行状況などに応じて、各部に指令やデータ等を送り、装置を正常に稼働させる司令塔的な役割を果たす。
【００３６】
続いて、以上に詳述した構成を有する実施例１の装置において、散乱Ｘ線除去グリッド１２Ａ、１２Ｂが２次元Ｘ線検出器２の前面の配置位置２ａにセットされる時の状況に即して図面を参照しながら説明する。図７は散乱Ｘ線除去グリッド１２Ａ、１２Ｂを２次元Ｘ線検出器２の前面の配置位置２ａにセットする時のプロセスを示すフローチャートである。
【００３７】
〔ステップＳ１〕撮影目的と必要性に応じて、オペレータが可動ベース１０を支柱９の長手方向に沿って移動させてＸ線管１と２次元Ｘ線検出器２の距離を調整してから、ＳＩＤ計測表示計１１で数字表示されている焦点・受像面間距離ＳＩＤの現在設定値を確認する。
【００３８】
〔ステップＳ２〕焦点・受像面間距離ＳＩＤの現在設定値が１ｍ未満であれば、次のステップＳ３に進む。焦点・受像面間距離ＳＩＤの現在設定値が１ｍ未満でなければ（即ち１ｍ以上であれば）、ステップＳ６に飛ぶ。
【００３９】
〔ステップＳ３〕２次元Ｘ線検出器２の前面の配置位置２ａに散乱Ｘ線除去グリッド１２Ａが既にセットされているのであれば、ステップＳ９へ飛び、そうでなければ次のステップＳ４へ進む。
【００４０】
〔ステップＳ４〕オペレータは操作部６で散乱Ｘ線除去グリッド１２Ａを指定する操作を行なう。
【００４１】
〔ステップＳ５〕指定グリッド交替機構１４がグリッド指定部１３からグリッド指定信号を受けて直ちに作動し、操作電気モータ１４Ｃがエンドレスベルト１４Ｂを矢印Ｒａで示す向きに回すのに連れて、散乱Ｘ線除去グリッド１２Ａが２次元Ｘ線検出器２の側方の退避位置２ｂから前面の配置位置２ａへ進出する方向に移動すると同時に、逆に散乱Ｘ線除去グリッド１２Ｂが２次元Ｘ線検出器２の前面の配置位置２ａから側方の退避位置２ｂへ後退する向きに移動して、図５に示すように、散乱Ｘ線除去グリッド１２Ａが２次元Ｘ線検出器２の前面の配置位置２ａにセットされた状態となり、グリッドのセッティングは完了となる。
【００４２】
〔ステップＳ６〕２次元Ｘ線検出器２の前面の配置位置２ａに散乱Ｘ線除去グリッド１２Ｂが既にセットされているのであれば、ステップＳ９へ飛び、そうでなければ次のステップＳ７へ進む。
【００４３】
〔ステップＳ７〕オペレータは操作部６で散乱Ｘ線除去グリッド１２Ｂを指定する操作を行なう。
【００４４】
〔ステップＳ８〕指定グリッド交替機構１４がグリッド指定部１３からグリッド指定信号を受けて直ちに作動し、操作電気モータ１４Ｃがエンドレスベルト１４Ｂを矢印Ｒｂで示す向きに回すのに連れて、散乱Ｘ線除去グリッド１２Ｂが２次元Ｘ線検出器２の側方の退避位置２ｂから前面の配置位置２ａへ進出する方向に移動すると同時に、逆に散乱Ｘ線除去グリッド１２Ａが２次元Ｘ線検出器２の前面の配置位置２ａから側方の退避位置２ｂへ後退する向きに移動して、図６に示すように、散乱Ｘ線除去グリッド１２Ｂが２次元Ｘ線検出器２の前面の配置位置２ａにセットされた状態となり、グリッドのセッティングは完了となる。
【００４５】
〔ステップＳ９〕２次元Ｘ線検出器２の前面の配置位置２ａには適当な散乱Ｘ線除去グリッドが既にセットされているので、グリッドのセッティングは完了である。
引き続きオペレータはＸ線撮影の実行操作へ移ることになる。
【００４６】
以上に詳述した通り、実施例１のＸ線透視撮影装置は、適合可能な焦点・受像面間距離範囲が異なる複数の散乱Ｘ線除去グリッド１２Ａ，１２Ｂのうちで、焦点・受像面間距離ＳＩＤの現在設定値に見合う散乱Ｘ線除去グリッドを選んで２次元Ｘ線検出器２の前面の配置位置２ａへ進出させてセットできると共に、焦点・受像面間距離ＳＩＤの現在設定値に見合わない散乱Ｘ線除去グリッドは２次元Ｘ線検出器２の側方の退避位置２ｂへ後退させられる。
【００４７】
したがって、実施例１の装置の場合、１台の装置に備わっている散乱Ｘ線除去グリッドが適合できる焦点・受像面間距離範囲は、適合可能な焦点・受像面間距離範囲の違う２個の散乱Ｘ線除去グリッド１２Ａ，１２Ｂの各焦点・受像面間距離範囲を全て合わせた（５０ｃｍ〜１ｍ７０ｃｍにわたる）広い範囲となるのに加えて、これに必要な技術的事項は、２個の散乱Ｘ線除去グリッド１２Ａ，１２Ｂのそれぞれを２次元Ｘ線検出器２の前面の配置位置２ａと側方の退避位置２ｂの間で往復移動可能にする程度の実現容易な構成ばかりである。
【００４８】
よって、実施例１の装置によれば、１台の装置に備わっている散乱Ｘ線除去グリッドで適合可能な焦点・受像面間距離範囲を容易に拡げることができる。
加えて、実施例１の装置の場合、２個の散乱Ｘ線除去グリッド１２Ａ，１２Ｂのいずれについても、操作部６による指定操作だけで、２次元Ｘ線検出器２の前面の配置位置２ａへセットできる。
【実施例２】
【００４９】
続いて、この発明のＸ線撮影装置の実施例２を図面を参照して説明する。図８は実施例２に係るＸ線透視撮影装置の全体構成を示すブロック図である。
実施例２の装置は、適合可能な焦点・受像面間距離範囲が異なる２個の散乱Ｘ線除去グリッドのうちから、Ｘ線管１と２次元Ｘ線検出器２についての焦点・受像面間距離ＳＩＤを検出するＳＩＤ検出手段であるＳＩＤ計測表示計１１により検出された焦点・受像面間距離ＳＩＤに見合う散乱Ｘ線除去グリッドを選定するグリッド選定部１６と、グリッド選定部１６により選定された散乱Ｘ線除去グリッドを２次元Ｘ線検出器２の前面の配置位置２ａへ進出させると共に２次元Ｘ線検出器２の前面の配置位置２ａにセットされていた散乱Ｘ線除去グリッドを退避位置２ｂへ後退させる選定グリッド交替機構１７とを備えている他は、実施例１の装置と実質的に同一であるので、相違点のみを説明し、共通点の説明は省略する。
【００５０】
すなわち、グリッド選定部１６は、ＳＩＤ計測表示計１１により検出された焦点・受像面間距離ＳＩＤの現在設定値が１ｍ未満であれば、散乱Ｘ線除去グリッド１２Ａを選定し、ＳＩＤ計測表示計１１により検出された焦点・受像面間距離ＳＩＤの現在設定値が１ｍ以上であれば、散乱Ｘ線除去グリッド１２Ｂを選定する。
【００５１】
選定グリッド交替機構１７は、グリッド選定部１６の選定結果に応じて動作する以外は指定グリッド交替機構１４と全く同じ構成であり、グリッド選定部１６により散乱Ｘ線除去グリッド１２Ａが選定されると、図５に示すように、実施例１で散乱Ｘ線除去グリッド１２Ａが指定された時と同様、散乱Ｘ線除去グリッド１２Ａを２次元Ｘ線検出器２の前面の配置位置２ａにセットし、グリッド選定部１６により散乱Ｘ線除去グリッド１２Ｂが選定されると、図６に示すように、実施例１で散乱Ｘ線除去グリッド１２Ｂが指定された時と同様、散乱Ｘ線除去グリッド１２Ｂを２次元Ｘ線検出器２の前面の配置位置２ａにセットする。
【００５２】
したがって、実施例２の装置によれば、オペレータが操作を行なわなくても、２次元Ｘ線検出器２の前面の配置位置２ａには、Ｘ線管１と２次元Ｘ線検出器２についての焦点・受像面間距離ＳＩＤの現在設定値に見合った散乱Ｘ線除去グリッドが自動的にセットされる。
【００５３】
この発明は、上記の実施例に限られるものではなく、以下のように変形実施することも可能である。
（１）実施例１，２の装置の場合、散乱Ｘ線除去グリッド１２Ａ、１２Ｂは電気モータ１４Ｃにより電動で移動させられる構成であったが、この発明の装置の場合、散乱Ｘ線除去グリッド１２Ａ、１２Ｂを手動で移動させられる構成であってもよい。
【００５４】
（２）実施例１，２の装置の場合、適合可能な焦点・受像面間距離範囲が異なる散乱Ｘ線除去グリッドの数が２個であったが、適合可能な焦点・受像面間距離範囲が異なる散乱Ｘ線除去グリッドの数が３個以上の適当な数である以外は同一の構成である装置を、変形例として挙げることができる。
【００５５】
（３）実施例１，２の装置では、２個の散乱Ｘ線除去グリッドの間では適合可能な焦点・受像面間距離範囲が重複せずに繋がる状態であったが、この発明の装置における適合可能な焦点・受像面間距離範囲が異なる複数個の散乱Ｘ線除去グリッドの間では、適合可能な焦点・受像面間距離範囲が一部重複したり、繋がらない範囲があったりしてもよい。
【００５６】
（４）実施例１の装置は、Ｘ線透視撮影装置であったが、この発明は、Ｘ線透視撮影装置以外の装置にも適用できる。
【００５７】
（５）実施例１，２の装置は医用の装置であったが、この発明は、医用に限らず、工業用あるいは原子力用の装置にも適用できる。
【図面の簡単な説明】
【００５８】
【図１】実施例１のＸ線透視撮影装置の全体構成を示すブロック図である。
【図２】実施例１の装置における散乱Ｘ線除去グリッドまわりの構成を示す平面図である。
【図３】実施例１の装置における散乱Ｘ線除去グリッドの配置状況を示す側面図である。
【図４】実施例１の装置に使われている散乱Ｘ線除去グリッドの構造例を示す模式図である。
【図５】実施例１の装置における近距離撮影用の散乱Ｘ線除去グリッドのセット状態を示す模式図である。
【図６】実施例１の装置における遠距離撮影用の散乱Ｘ線除去グリッドのセット状態を示す模式図である。
【図７】実施例１の装置において散乱Ｘ線除去グリッドを２次元Ｘ線検出器の前面の配置位置にセットする時のプロセスを示すフローチャートである。
【図８】実施例２のＸ線透視撮影装置の全体構成を示すブロック図である。
【図９】従来のＸ線透視撮影装置の要部構成を示す模式図である。
【符号の説明】
【００５９】
１              …Ｘ線管（Ｘ線照射手段）
１Ａ            …（Ｘ線管の）焦点
２              …２次元Ｘ線検出器（２次元Ｘ線検出手段）
２Ａ            …（２次元Ｘ線検出器）の受像面
２ａ            …（２次元Ｘ線検出器の前面の）配置位置
２ｂ            …（２次元Ｘ線検出器の側方の）退避位置
６              …操作部（グリッド指定手段の一部）
１１            …ＳＩＤ計測表示計（ＳＩＤ検出手段）
１２Ａ，１２Ｂ  …散乱Ｘ線除去グリッド
１３            …グリッド指定部（グリッド指定手段の一部）
１４            …指定グリッド交替機構（指定グリッド交替手段）
１６            …グリッド選定部（グリッド選定手段）
１７            …選定グリッド交替機構（選定グリッド交替手段）
Ｍ              …被検体
ＳＩＤ          …焦点・受像面間距離
【図１】
2006255281.tif 000003
【図２】
2006255281.tif 000004
【図３】
2006255281.tif 000005
【図４】
2006255281.tif 000006
【図５】
2006255281.tif 000007
【図６】
2006255281.tif 000008
【図７】
2006255281.tif 000009
【図８】
2006255281.tif 000010
【図９】
2006255281.tif 000011